(57)【要約】【課題】プロジェクションシート及び表示方法を提供する。【解決手段】プロジェクタから投射される画像を反射して表示させるプロジェクションシートにおいて、面上の異なる方向に対して傾斜面を有する凹部が複数、互いに隣接するように一面に設けられている。このプロジェクションシートを壁面に設け、該壁面の前記プロジェクションシートの縁部の外側近傍に１又は複数のプロジェクタを設置し、該１又は複数のプロジェクタから前記プロジェクションシートへ画像を投射する。【選択図】図２
2018205602.tif 000002
【特許請求の範囲】
【請求項１】
プロジェクタから投射される画像を反射して表示させるプロジェクションシートにおいて、
面上の異なる方向に対して傾斜面を有する凹部が複数、互いに隣接するように一面に設けられている
ことを特徴とするプロジェクションシート。
【請求項２】
前記凹部は、異なる大きさに設けられている
ことを特徴とする請求項１に記載のプロジェクションシート。
【請求項３】
前記凹部はシート面に略平行な底面を有する
ことを特徴とする請求項１又は２に記載のプロジェクションシート。
【請求項４】
防炎性又は不燃性材料により形成されている
ことを特徴とする請求項１から請求項３のいずれか１つに記載のプロジェクションシート。
【請求項５】
面上の異なる方向に対して傾斜面を有する凹部が複数、互いに隣接するように一面に設けられているプロジェクションシートを壁面に設け、
該壁面の前記プロジェクションシートの縁部の外側近傍にプロジェクタを設置し、
該プロジェクタから前記プロジェクションシートへ画像を投射する
ことを特徴とする表示方法。
【請求項６】
前記プロジェクションシートにおける前記凹部はシート面に略平行な底面を有し、
前記複数の凹部の底面に文字、絵、又はイラストを形成しておき、
前記壁面における環境光の照度が所定値以上である場合には前記プロジェクタを消灯させる
ことを特徴とする請求項５に記載の表示方法。
【発明の詳細な説明】
【技術分野】
【０００１】
本開示は、プロジェクタから画像が投射されるプロジェクションシート及び該プロジェクションシートを用いた画像の表示方法に関する。
【背景技術】
【０００２】
公衆向けの宣伝広告又は公共標識（サイン）は、多様な表現で掲示されている。例えば、従前から利用されているポスター及び看板は勿論のこと、近年では表示装置を用いたデジタルサイネージ、建造物へ向けて画像（静止画又は動画像）を投射する所謂プロジェクションマッピングなど、動画像（映像）での表現が可能なものも普及している。
【０００３】
なかでも、大きな表示装置を用意せずとも手軽に大型画面での大迫力の画像表示を実現できる反射型のプロジェクションシステムが広く利用されている。ただし建造物の壁面をスクリーンとするほどのプロジェクションシステムでは、その壁面に向けて略垂直に画像を投射するプロジェクタを、建造物からある程度離れた場所に設置する必要があり、システムが大掛かりになるために常設は困難であった。これに対し昨今では、所謂超短焦点型のプロジェクタが開発され、壁面近くに設置されたプロジェクタから壁面をスクリーンとして画像を表示させることが可能である。
【先行技術文献】
【特許文献】
【０００４】
【特許文献１】特開２０１５−２１５３７８号公報
【発明の概要】
【発明が解決しようとする課題】
【０００５】
特許文献１に開示されている発明は、プロジェクタ側で短焦点を実現するためのものであり、スクリーン側における工夫については考慮されていない。
【０００６】
本開示は、斯かる事情を鑑みてなされたものであり、短焦点型プロジェクタをシートの設置面近くに設置するコンパクトな構成であっても大画面による画像表示を可能とするプロジェクションシート及び表示方法を提供することを目的とする。
【課題を解決するための手段】
【０００７】
本開示のプロジェクションシートは、プロジェクタから投射される画像を反射して表示させるプロジェクションシートにおいて、面上の異なる方向に対して傾斜面を有する凹部が複数、互いに隣接するように一面に設けられている。
【０００８】
本開示の表示方法は、面上の異なる方向に対して傾斜面を有する凹部が複数、互いに隣接するように一面に設けられているプロジェクションシートを壁面に設け、該壁面の前記プロジェクションシートの縁部の外側近傍にプロジェクタを設置し、該プロジェクタから前記プロジェクションシートへ画像を投射することを特徴とする。
【０００９】
これにより、本開示のプロジェクションシートに対して大角度で入射する投射光が各凹部の傾斜面によってシートの法線方向へ向けて反射されるので、プロジェクションシート近くに設置した短焦点型のプロジェクタからの投射が可能になる。また凹部は異なる方向に対する傾斜面を有しているため、プロジェクタからの投射方向も限定されない。
【００１０】
本開示のプロジェクションシートでは、前記凹部は異なる大きさに設けられている。
【００１１】
これにより、複数の凹部を同一の大きさで設ける場合よりも傾斜面で反射される光の拡散方向が多様になるので凹部の配置パターンと投射される画像の画素配列との間の干渉等による表示品質の低下が抑制される。
【００１２】
本開示のプロジェクションシートでは、前記凹部はシート面に略平行な底面を有する。
【００１３】
これにより本開示のプロジェクションシートでは、底面ではシート面に対して略垂直方向に入射する光が略法線方向に反射する。底面で反射する光と、傾斜面で反射する光とで異なる画像表現も可能になる。
【００１４】
本開示のプロジェクションシートは、防炎性又は不燃性材料により形成されている。
【００１５】
これにより、本開示のプロジェクションシートは建造物の屋外壁面に設置して利用することが可能になる。
【００１６】
本開示の表示方法は、前記プロジェクションシートにおける前記凹部はシート面に略平行な底面を有し、前記複数の凹部の底面に文字、絵、又はイラストを形成しておき、前記壁面における環境光の照度が所定値以上である場合には前記プロジェクタを消灯させることを特徴とする。
【００１７】
本開示の表示方法では、壁面が屋外である場合の昼間等、環境光の照度が高い場合には、環境光が底面で反射して底面に形成されている文字、絵又はイラストの視認が可能になり、プロジェクタの消灯時と点灯時とで異なる画像表現が可能になる。
【発明の効果】
【００１８】
本開示のプロジェクションシートにより、短焦点型プロジェクタをシートの設置面近くに設置するコンパクトな構成にて大画面による画像表示を可能とする。
【図面の簡単な説明】
【００１９】
【図１】本実施の形態のプロジェクションシートを用いた画像投射システムの概要を示す説明図である。
【図２】プロジェクションシートの一面側を示す正面図である。
【図３】プロジェクションシートの一面側の拡大斜視図である。
【図４】プロジェクションシートによる表現方法を示す説明図である。
【発明を実施するための形態】
【００２０】
図１は、本実施の形態のプロジェクションシート１を用いた画像投射システムの概要を示す説明図である。画像投射システムは、プロジェクションシート１及びプロジェクタ２ａ，２ｂを含む。プロジェクションシート１は、大型の矩形状シートであって表示面が外側を向くようにして建造物の壁面に貼付されている。
【００２１】
プロジェクタ２ａ，２ｂは、所謂超短焦点型プロジェクタである。プロジェクタ２ａはプロジェクションシート１の上縁よりも上方であって且つ上縁の近くに、斜め下方の壁面へ向けて画像を投射するように設置されている。プロジェクタ２ｂはプロジェクションシート１の下縁よりも下方であって且つ下縁の近くに、斜め上方の壁面に向けて画像を投射するように設置されている。そしてプロジェクタ２ａ及びプロジェクタ２ｂが夫々投射する画像は、プロジェクションシート１の中央部で重なって１つの画像が表現されるように設定されている。なおプロジェクタ２ａ，２ｂはいずれも防水防塵に対応した屋外用のケース内に設けられている。
【００２２】
本開示のプロジェクションシート１では大型であっても、図１に示すように設置場所近くに設置された超短焦点型のプロジェクタ２ａ，２ｂからの投射による画像表示が可能である。以下、超短焦点型のプロジェクタ２ａ，２ｂに対応可能なプロジェクションシート１について、より詳細に説明する。
【００２３】
図２は、プロジェクションシート１の一面側を示す正面図であり、図３は、一面側の拡大斜視図である。プロジェクションシート１は、防炎性又は不燃性の透明、半透明又は白色の樹脂製シートである。プロジェクションシート１は例えば、ＰＶＣ（ポリ塩化ビニル、塩ビ）、ＰＥＴ（ポリエチレンテレフタート）、ウレタン樹脂により形成されている。防炎性又は不燃性の樹脂製シートとすることにより、建造物の壁面に設置することができる。そしてプロジェクションシート１は裏面側にタック加工がされ、壁面に貼付されて設置されている。なおプロジェクションシート１の設置方法は、その他壁面に固定されたフレームへの張設等、他の方法であってもよい。
【００２４】
プロジェクションシート１の表示面には、図２及び図３に示すように複数の凹部１０が相互に隣接するようにして設けられている。複数の凹部１０はいずれも、正方形の角皿状に窪んで形成されている。複数の凹部１０は、大小の２種類の異なる大きさで設けられている。図２及び図３で示す具体例では、大の凹部１０の１つの辺当りに、小の凹部１０が奇数（３つ）配されるように形成されており、複数の小の凹部１０で、１つの大の凹部１０を取り囲むように配されている。具体的には、大の凹部１０が小の凹部１０の大きさ程度の間隔を設けて千鳥状に配されており、その間隔を埋めるようにして小の凹部１０が配されている。なお各凹部１０の寸法はナノレベルから、可視光の波長範囲、又はプロジェクタ２ａ，２ｂにより投射される画像の解像度に応じたドットピッチに基づく寸法であってもよい。凹部１０の形成方法は、超微細樹脂成形技術、ＭＥＭＳ（Micro Electro Mechanical Systems）、ナノインプリント技術等、種々の方法が考えられる。
【００２５】
複数の凹部１０は、図２及び図３に示す例では、その正方形の形状の縦横方向が揃うようにして配置されており、その縦横方向はプロジェクションシート１の長辺及び短辺の方向も一致している。なお隣り合う大の凹部１０は、横方向及び縦方向に直線上に並ばないように偏位して形成されている。大小異なる大きさの凹部１０を設ける構成と、大の凹部１０を直線上に並べないようにした配置により、凹部１０の配置パターンと、投射される画像の画素配列との間での干渉の発生による画質低下の抑制が期待される。なお複数の凹部１０の配置パターンは図２及び図３に示したようなパターンには限定されない。例えば、大の凹部１０の四方全てを小の凹部１０で取り囲むように配置したり、大の凹部１０及び小の凹部１０を不規則的に配置したりしてもよい。更には小の凹部１０も１つ、又は複数ずつ偏位して形成されていてもよい。
【００２６】
凹部１０は夫々、プロジェクションシート１の縦方向と横方向とに対して夫々傾斜する側面１１を有している。側面１１の傾斜角度は例えば、シート面に対して上下方向に６０度以上等の傾斜角度で入射する光をシート面の略法線方向へ向けて反射できる角度となっていればよく、全ての凹部１０で同一でなくてよい。例えばプロジェクタ２ａ，２ｂは、８０型のスクリーンに対して１００〜３００ミリメートル法線方向に離れた場所から映像を投射できるような短焦点型を用いるとすれば、プロジェクタ２ａ，２ｂからの入射光は７０度程度である。側面１１の傾斜角度は、このような角度の入射光を法線方向へ向けて反射できるとよい。また凹部１０夫々の深さも大小の凹部１０で同じ深さとしてもよいし、同一の大きさの凹部１０間で深さが異なるようにしてもよい。
【００２７】
本実施の形態に示すプロジェクションシート１では、このように複数の凹部１０が設けられており、各々の側面１１の傾斜面によって大角度で入射した光がプロジェクションシート１の法線方向へ向けて反射される。したがって、短焦点型のプロジェクタ２ａ，２ｂから投射された画像を壁面前に立つ人物によって視認することが可能になる。
【００２８】
従来、図１に示したような建造物の壁面に大画面で画像を投射するためには、建造物から離れた場所（例えば８０型であれば数メートル以上離れた場所）にプロジェクタの設置場所を確保しなければならず、その分の光量も必要であるから大掛かりな設備が必要であった。これに対し、プロジェクションシート１では短焦点型のプロジェクタ２ａ，２ｂに対応しているから、図１に示したように、プロジェクションシート１を設置した壁面近くに設置されたプロジェクタ２ａ，２ｂによる画像の投射が可能であり、設置場所の確保が容易である。勿論、投射させる画像によっては１台のプロジェクタ２ａ（又はプロジェクタ２ｂ）のみであっても表示が可能になる。また、凹部１０はシート面に対し縦横方向に傾斜する側面１１を有しているから、図１に示したように設置されたプロジェクションシート１の左右、近くにプロジェクタを設置して投射させてもよい。またプロジェクションシート１を横長に使用し、プロジェクションシート１の上縁下縁近くに夫々複数台のプロジェクタを設け、画像を投射させるようにしてもよい。
【００２９】
また本実施の形態に示したプロジェクトシート１では、複数の凹部１０はシート面に略平行な底面１２を有している。この底面１２の部分には、複数の凹部１０の内の一部の凹部１０で１つの画素に対応させて文字、絵、又はイラストを形成させてもよい。
【００３０】
図４は、プロジェクションシート１による表現方法を示す説明図である。図４Ａは、日中におけるプロジェクションシート１での表示例を示し、図４Ｂは夜間における表示例を示す。前記一部の凹部１０で１つの画素に対応するようにして、各凹部１０の底面１２を印刷面とすることで、図４Ａに示すように、日中屋外で太陽光に晒されるプロジェクションシート１に印刷された文字、絵、又はイラストの視認が可能になる。この場合プロジェクタ２ａ，２ｂからの投射は不要である。一方夜間暗くなってからは、印刷された文字、絵、又はイラストの視認は困難になるので、図４Ｂに示すようにしてプロジェクタ２ａ，２ｂによる画像の投射を行なう。この場合、図４Ａ及び図４Ｂに示すように、印刷された文字、絵、又はイラストと、プロジェクタ２ａ，２ｂから投射される画像（映像）とは異なる。このように本開示のプロジェクションシート１を用いることにより、図４Ａに示すように、昼間にプロジェクションシート１で掲示される広告宣伝又は公共標識と、図４Ｂに示すように夜間暗くなってからプロジェクタ２ａ，２ｂの投影によりプロジェクションシート１上に表示される画像と、異なる表現が可能になる。
【００３１】
なお図４Ａに示したようなプロジェクションシート１を屋外壁面ではなく、屋内に設置する場合であっても設置場所の周囲における環境光による照度が十分な明るさ（例えば３００ルクス以上等）であれば文字、絵、又はイラストの視認は可能であり、プロジェクタ２ａ，２ｂからの投射は不要である。また文字、絵又はイラストは印刷のみならず、染色、転写（レーザ）等により形成されてもよい。
【００３２】
なお図２及び図３で示した本実施の形態のプロジェクションシート１では、大の凹部１０は、小の凹部１０は夫々同一の大きさで形成されているが、３つ以上の異なる大きさの凹部１０が規則正しく密接するように形成されてもよい。また複数の凹部１０の大きさはランダムであってもよい。また本実施の形態のプロジェクションシート１における大小の凹部１０は、その形状が相似関係にあるが、これに限らず大小の凹部１０は縦横の比率が異なる長方形のものが含まれていてもよい。更に凹部１０は三角形、六角形などの他の多角形でもよく、相互に密接して配置が可能な形状に窪んで形成されるものであればよい。
【００３３】
なお、上述のように開示された本実施の形態はすべての点で例示であって、制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【００３４】
１  プロジェクションシート
１０  凹部
１１  側面
１２  底面
２ａ，２ｂ  プロジェクタ（光源）
【図１】
2018205602.tif 000003
【図２】
2018205602.tif 000004
【図３】
2018205602.tif 000005
【図４】
2018205602.tif 000006